(57)【要約】【課題】  単純な構造でありながら、良好な保温性を発揮できる乳幼児用飲料容器を提供する。【解決手段】  哺乳瓶１は、上端部１４に開口を有する容器本体１０と、乳首２２を有し、容器本体１０の上端部に着脱可能に取り付けられる飲み口キャップ２０と、飲み口キャップ２０の内側に配置され、容器本体１０の上端部１４に着脱可能に取り付けられて開口を閉塞する中蓋３０とを備える。容器本体１０および中蓋３０は、それぞれ、内部に空間を形成する２重壁構造を有している。【選択図】      図１
2005348909.tif 000002
【特許請求の範囲】
【請求項１】
上端部に開口を有する容器本体と、
飲み口を有し、前記容器本体の上端部に着脱可能に取り付けられる飲み口形成部材と、
前記飲み口形成部材の内側に配置され、前記容器本体の上端部に着脱可能に取り付けられて前記開口を閉塞する中蓋とを備え、
前記容器本体および前記中蓋は、それぞれ、内部に空間を形成する２重壁構造を有している、乳幼児用飲料容器。
【請求項２】
前記容器本体は、その底部に、取り外した前記中蓋を保持するための中蓋保持部を有する、請求項１に記載の乳幼児用飲料容器。
【請求項３】
前記容器本体は、その底部に円柱状窪みを有し、
前記容器本体は、前記開口を形成する内壁面に上部雌ねじを有し、前記円柱状窪みを形成する内壁面に下部雌ねじを有しており、
前記中蓋は、前記上部雌ねじおよび下部雌ねじに螺合する雄ねじを有している、請求項２に記載の乳幼児用飲料容器。
【請求項４】
前記飲み口形成部材は、哺乳瓶の乳首である、請求項１〜３のいずれかに記載の乳幼児用飲料容器。
【発明の詳細な説明】
【技術分野】
【０００１】
この発明は、乳幼児用飲料容器に関し、特に保温性に優れた乳幼児用飲料容器に関するものである。
【背景技術】
【０００２】
哺乳瓶のような乳幼児用飲料容器は、良好な保温性を有することが好ましい。実開昭６１−５４８４１号公報（特許文献１）は、哺乳瓶用保温具を開示している。
【０００３】
この公報に開示された哺乳瓶用保温具は、哺乳瓶をそのビン口部を残してほぼ全面的に包囲する保温カバーと、この保温カバーの内面と哺乳瓶の外面との間においてこの哺乳瓶に巻設される発熱体とから構成される。
【０００４】
上記のように哺乳瓶とは別に保温のための専用の保温カバーや発熱体を用意するのは、煩雑であり、製造コストも増大する。
【０００５】
そこで、乳幼児用飲料容器自体の構造を改良して、保温性を高めることが望まれる。
【特許文献１】実開昭６１−５４８４１号公報
【発明の開示】
【発明が解決しようとする課題】
【０００６】
飲料容器自体の保温性を高めるための一つの手段は、飲料を収容する容器本体の壁に保温性を高める構造を施すことである。例えば、飲料容器本体をブロー成形あるいは中空成形で製造することによって、内部に空気層を有する２重壁構造とすることが考えられる。このような２重壁構造は、良好な保温性を有する。
【０００７】
哺乳瓶の乳首は、通常、柔軟性のある樹脂によって作られている。この乳首を形成する樹脂膜は保温性に劣るため、容器本体自体を２重壁構造にしたとしても、乳首を通した放熱量が大きいので、哺乳瓶全体としては保温性がそれほど良くならない。
【０００８】
乳首と容器本体との間に中蓋を設けて容器本体の保温性を維持することが考えられるが、中蓋自体が良好な保温性を発揮できるような構造でなければ、この中蓋を通して放熱が行なわれてしまう。
【０００９】
この発明の目的は、単純な構造でありながら良好な保温性を発揮できる乳幼児用飲料容器を提供することである。
【課題を解決するための手段】
【００１０】
この発明に従った乳幼児用飲料容器は、上端部に開口を有する容器本体と、飲み口を有し、容器本体の上端部に着脱可能に取り付けられる飲み口形成部材と、飲み口形成部材の内側に配置され、容器本体の上端部に着脱可能に取り付けられて開口を閉塞する中蓋とを備える。容器本体および中蓋は、それぞれ、内部に空間を形成する２重壁構造を有している。
【００１１】
上記構成の本発明によれば、容器本体および中蓋の両者が２重壁構造であるので、飲料容器全体が良好な保温性を発揮できる。
【００１２】
好ましくは、容器本体は、その底部に、取り外した中蓋を保持するための中蓋保持部を有する。このような構成であれば、中蓋の紛失を防ぐことができる。
【００１３】
一つの実施形態では、容器本体は、その底部に円柱状窪みを有する。容器本体は、上端開口を形成する内壁面に上部雌ねじを有し、円柱状窪みを形成する内壁面に下部雌ねじを有している。中蓋は、上部雌ねじおよび下部雌ねじに螺合する雄ねじを有している。
【００１４】
前記飲み口形成部材は、例えば、哺乳瓶の乳首であり、飲料容器は哺乳瓶である。
【発明を実施するための最良の形態】
【００１５】
図１は、乳幼児用飲料容器の一例である哺乳瓶１を示している。哺乳瓶１は、円柱状の容器本体１０と、飲み口キャップ２０と、中蓋３０とを備える。
【００１６】
容器本体１０は、ミルクなどの飲料を蓄えるためのものであり、上端開口の円筒形状である円筒壁１１と、円筒壁１１の底部に位置する底壁１２とを有する。図示するように、円筒壁１１および底壁１２は、例えばブロー成形または中空成形等によって内部に空間１３を形成する２重壁構造とされる。空間１３には、例えば、空気層が存在する。
【００１７】
円筒壁１１の上部開口を形成する上端開口部１４の外壁面に雄ねじ１４ａが形成され、内壁面に雌ねじ１４ｂが形成されている。また、容器本体１０は、その底部に、円柱状窪み１５を有する。この円柱状窪み１５を形成する壁の内壁面に雌ねじ１５ａが形成されている。容器本体１０の上端開口部１４の内壁面に形成されている上部雌ねじ１４ｂと、円柱状窪み１５の内壁面に形成されている下部雌ねじ１５ａとは、同じねじ形状を有している。
【００１８】
飲み口キャップ２０は、容器本体１０の上端開口部１４の雄ねじ１４ａに螺合する雌ねじ２１ａを有する袋キャップねじ２１と、この袋キャップねじ２１に保持された柔軟性樹脂からなる乳首２２とを備える。飲み口キャップ２０は、容器本体１０の上端開口部１４に着脱可能に取り付けられる。
【００１９】
中蓋３０は、飲み口キャップ２０の内側に配置され、容器本体１０の上端開口部１４に着脱可能に取り付けられて、開口を閉塞するものである。図示するように、中蓋３０は、例えば、ブロー成形または中空成形等によって内部に空間３１を有する２重壁構造とされる。空間３１には、例えば、空気層が存在する。
【００２０】
中蓋３０は、上端開口部１４の上部雌ねじ１４ｂおよび円柱状窪み１５の下部雌ねじ１５ａに螺合する雄ねじ３０ａを有している。図１に示す状態では、中蓋３０の雄ねじ３０ａと容器本体１０の上部雌ねじ１４ｂとが螺合している。授乳時に中蓋３０を取り外したとき、この中蓋３０を円柱状窪み１５のところで保持しておく。具体的には、中蓋３０の雄ねじ３０ａと円柱状窪み１５の下部雌ねじ１５ａとを螺合させる。
【００２１】
図１に示した哺乳瓶１では、容器本体１０および中蓋３０が、それぞれ、内部に空間１３，３１を形成する２重壁構造であり、空間１３，３１に保温性を発揮する空気層が存在しているので、全体として良好な保温性を発揮できる。空間１３，３１に、断熱材を充填するようにしてもよい。
【００２２】
また、授乳時には、中蓋３０を取り外すことになるが、この取り外した中蓋３０を容器本体１０の底部に保持することができるので、中蓋３０の紛失を防止できる。なお、図示した実施形態では、取り外した中蓋３０を保持するための中蓋保持部として、円柱状窪み１５および下部雌ねじ１５ａを形成したが、別の保持形態にすることも可能である。
【００２３】
さらに、図１に示した哺乳瓶１は乳幼児用飲料容器の一例であるので、他の形態の飲料容器に対して本発明を適用してもよい。
【００２４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２５】
この発明は、保温性が必要となる乳児用飲料容器に有利に適用され得る。
【図面の簡単な説明】
【００２６】
【図１】本発明の一実施形態に係る哺乳瓶の断面図である。
【符号の説明】
【００２７】
１  哺乳瓶、１０  容器本体、１１  円筒壁、１２  底壁、１３  空間、１４  上端開口部、１４ａ  雄ねじ、１４ｂ  雌ねじ、１５  円柱状窪み、１５ａ  雌ねじ、２０  飲み口キャップ、２１  袋キャップねじ、２１ａ  雌ねじ、２２  乳首、３０  中蓋、３０ａ  雄ねじ、３１  空間。
【図１】
2005348909.tif 000003